(57)【要約】【課題】画像表示信号内の信号を検出できないよう隠蔽することにより画像情報を保護する。【解決手段】画像表示信号解析部１１は、画像表示信号Ｓ１内の信号における立ち上がり時間と立ち下がり時間を抽出およびデータ化する。擬似信号生成部１２は、データに基づいて、立ち上がり時間と立ち下がり時間の合計に等しい時間幅を２分する立ち上がり時間および立ち下がり時間を有する単位波形を生成し、２つ以上の信号についての単位波形を合成した合成単位波形を生成し、合成単位波形が連続して繰り返す擬似信号Ｓ２を生成する。信号合成部１３は、擬似信号Ｓ２と画像表示信号Ｓ１を合成する。信号出力部１４は、合成された信号Ｓ３を画像表示装置３に対して送出する。【選択図】図１
2010061203.tif 000002
【特許請求の範囲】
【請求項１】
画像を表示するための画像表示信号を生成する画像表示信号生成装置から前記画像を表示する画像表示装置に対して送出された画像表示信号内のＲ信号、Ｇ信号、Ｂ信号およびドットクロックの少なくとも１つにおける立ち上がり時間と立ち下がり時間の少なくとも一方を抽出およびデータ化する画像表示信号解析部と、
前記データに基づいて、前記Ｒ信号、Ｇ信号、Ｂ信号またはドットクロックについての前記立ち上がり時間の２倍、前記立ち下がり時間の２倍、前記立ち上がり時間と立ち下がり時間の合計、当該２倍または合計の整数倍、もしくは、当該２倍または合計の整数分の１に等しい時間幅を２分する立ち上がり時間および立ち下がり時間を有する単位波形、または、前記Ｒ信号、Ｇ信号、Ｂ信号およびドットクロックの２つ以上についての単位波形を合成した合成単位波形を生成し、単位波形または合成単位波形が連続して繰り返す擬似信号を生成する擬似信号生成部と、
前記擬似信号と前記画像表示信号を合成する信号合成部と、
前記合成された信号を前記画像表示装置に対して送出する信号出力部と
を含むことを特徴とする画像情報保護装置。
【請求項２】
前記単位波形は、正弦波であることを特徴とする請求項１記載の画像情報保護装置。
【請求項３】
前記単位波形は、三角波であることを特徴とする請求項１記載の画像情報保護装置。
【請求項４】
前記単位波形は、当該単位波形を生成するために使用した元の信号における立ち上がりと立ち下がりの少なくとも一方の波形形状を有するものであることを特徴とする請求項１記載の画像情報保護装置。
【請求項５】
画像を表示するための画像表示信号を生成する画像表示信号生成装置から前記画像を表示する画像表示装置に対して送出された画像表示信号内のＲ信号、Ｇ信号、Ｂ信号およびドットクロックの少なくとも１つにおける立ち上がり時間と立ち下がり時間の少なくとも一方を抽出およびデータ化する段階と、
前記データに基づいて、前記Ｒ信号、Ｇ信号、Ｂ信号またはドットクロックについての前記立ち上がり時間の２倍、前記立ち下がり時間の２倍、前記立ち上がり時間と立ち下がり時間の合計、当該２倍または合計の整数倍、もしくは、当該２倍または合計の整数分の１に等しい時間幅を２分する立ち上がり時間および立ち下がり時間を有する単位波形、または、前記Ｒ信号、Ｇ信号、Ｂ信号およびドットクロックの２つ以上についての単位波形を合成した合成単位波形を生成し、単位波形または合成単位波形が連続して繰り返す擬似信号を生成する段階と、
前記擬似信号と前記画像表示信号を合成する段階と、
前記合成された信号を前記画像表示装置に対して送出する段階と
を含むことを特徴とする画像情報保護方法。
【請求項６】
前記単位波形は、正弦波であることを特徴とする請求項５記載の画像情報保護方法。
【請求項７】
前記単位波形は、三角波であることを特徴とする請求項５記載の画像情報保護方法。
【請求項８】
前記単位波形は、当該単位波形を生成するために使用した元の信号における立ち上がりと立ち下がりの少なくとも一方の波形形状を有するものであることを特徴とする請求項５記載の画像情報保護方法。
【発明の詳細な説明】
【技術分野】
【０００１】
本発明は、画像情報保護装置および画像情報保護方法に関するものである。
【背景技術】
【０００２】
従来において、パーソナルコンピュータなどの画像表示信号生成装置は、画像を表示するための画像情報に基づいて画像表示信号を生成し、モニタなどと称される画像表示装置に送出する。画像表示装置は、画像表示信号に基づいて画像を表示する。
【０００３】
例えば、悪意の第三者が、画像表示信号生成装置と画像表示装置の間の信号ケーブルから放射される電磁波をアンテナで受信して画像表示信号を検出してしまうと、その画像表示信号を解析することにより画像情報が再生されてしまうこと（漏洩）の可能性が高まる。画像情報の漏洩を防止すべく、特許文献１に開示された発明では、画像表示信号に同期する擬似信号を生成する。
【特許文献１】特開２００７−２４４３５５号公報
【発明の開示】
【発明が解決しようとする課題】
【０００４】
画像表示信号は、Ｒ信号、Ｇ信号、Ｂ信号およびドットクロックを含み、例えば、Ｒ信号が上記のように検出されると、画像情報の漏洩の可能性が高まる。
【０００５】
本発明は、上記課題に鑑みなされたものであり、その目的とするところは、画像表示信号内の信号を検出できないよう隠蔽することにより画像情報を保護できる画像情報保護装置および画像情報保護方法を提供することにある。
【課題を解決するための手段】
【０００６】
本発明では、画像を表示するための画像表示信号を生成する画像表示信号生成装置から前記画像を表示する画像表示装置に対して送出された画像表示信号内のＲ信号、Ｇ信号、Ｂ信号およびドットクロックの少なくとも１つにおける立ち上がり時間と立ち下がり時間の少なくとも一方を抽出およびデータ化し、前記データに基づいて、前記Ｒ信号、Ｇ信号、Ｂ信号またはドットクロックについての前記立ち上がり時間の２倍、前記立ち下がり時間の２倍、前記立ち上がり時間と立ち下がり時間の合計、当該２倍または合計の整数倍、もしくは、当該２倍または合計の整数分の１に等しい時間幅を２分する立ち上がり時間および立ち下がり時間を有する単位波形、または、前記Ｒ信号、Ｇ信号、Ｂ信号およびドットクロックの２つ以上についての単位波形を合成した合成単位波形を生成し、単位波形または合成単位波形が連続して繰り返す擬似信号を生成し、前記擬似信号と前記画像表示信号を合成し、前記合成された信号を前記画像表示装置に対して送出する。
【発明の効果】
【０００７】
本発明によれば、画像表示信号内の信号を検出できないよう隠蔽でき、もって、画像情報を保護できる。
【発明を実施するための最良の形態】
【０００８】
以下、本発明の実施の形態を図面を参照して説明する。
【０００９】
図１は、本実施の形態に係る画像情報保護装置の構成を示すブロック図である。
【００１０】
画像情報保護装置１は、画像を表示するための画像表示信号を生成する画像表示信号生成装置（例えば、パーソナルコンピュータ）２から画像を表示する画像表示装置（例えば、モニタ）に対して送出された画像表示信号Ｓ１内のＲ信号、Ｇ信号、Ｂ信号またはドットクロックの少なくとも１つにおける立ち上がり時間と立ち下がり時間の少なくとも一方を抽出およびデータ化する画像表示信号解析部１１と、データに基づいて、Ｒ信号、Ｇ信号、Ｂ信号またはドットクロックについての立ち上がり時間の２倍、立ち下がり時間の２倍、立ち上がり時間と立ち下がり時間の合計、当該２倍または合計の整数倍、または、当該２倍または合計の整数分の１に等しい時間幅を２分する立ち上がり時間および立ち下がり時間を有する単位波形、または、Ｒ信号、Ｇ信号、Ｂ信号およびドットクロックの２つ以上についての単位波形を合成した合成単位波形を生成し、単位波形または合成単位波形が連続して繰り返す擬似信号Ｓ２を生成する擬似信号生成部１２と、擬似信号Ｓ２と画像表示信号Ｓ１を合成する信号合成部１３と、合成された信号Ｓ３を画像表示装置３に対して送出する信号出力部１４とを含む。
【００１１】
画像表示信号生成装置２から、例えば信号ケーブルで画像情報保護装置１に入力された画像表示信号Ｓ１は、画像情報保護装置１内で分岐し、画像表示信号解析部１１と信号合成部１３に入力される。信号出力部１４から出力された信号Ｓ３は、例えば信号ケーブルで画像表示装置３に入力される。
【００１２】
画像情報保護装置１は、画像表示信号生成装置２のビデオカードに実装してもよい。この場合、画像表示信号Ｓ１は、ビデオカードのコネクタなどを介して、画像表示信号解析部１１と信号合成部１３に入力される。
【００１３】
図２は、Ｒ信号、Ｇ信号、Ｂ信号、ドットクロックの波形を示す図である。各信号は、信号のレベルが立ち上がる立ち上がり時間Ｔｕ（Ｒ）等と、信号のレベルが下がる立ち下がり時間Ｔｄ（Ｒ）等を含むものである。
【００１４】
Ｒ信号、Ｇ信号、Ｂ信号は、画像表示装置３の画面を構成する各画素（ドットともいう）の輝度における赤、緑、青の成分をそれぞれ示す信号である。
【００１５】
ドットクロックは、各画素をＲ信号、Ｇ信号、Ｂ信号により示される輝度で順次に点灯させるときの点灯のタイミングを示す信号である。
【００１６】
（画像情報保護装置の動作：画像情報保護方法）
図１の画像表示信号生成装置２は、画像を表示するための画像情報を予め記憶しており、画像情報に基づいて画像表示信号Ｓ１を生成し、画像表示信号Ｓ１を画像情報保護装置１に出力する。
【００１７】
画像表示信号解析部１１は、画像表示信号Ｓ１内のＲ信号、Ｇ信号、Ｂ信号およびドットクロックの全部における立ち上がり時間と立ち下がり時間を抽出およびデータ化する。生成されたデータは、制御パラメータとして、図示しない記憶部に記憶される。
【００１８】
次に、擬似信号生成部１２が、例えば、図３に示すように、Ｒ信号についての立ち上がり時間Ｔｕ（Ｒ）と立ち下がり時間Ｔｄ（Ｒ）の合計に等しい時間幅を２分する立ち上がり時間Ｔｕ（Ｒ）’および立ち下がり時間Ｔｄ（Ｒ）’を有する単位波形Ｕ（Ｒ）を生成する。擬似信号生成部１２は、Ｇ信号、Ｂ信号およびドットクロックについても同様の単位波形Ｕ（Ｇ）、Ｕ（Ｂ）およびＵ（Ｃ）を生成する。各単位波形は、図示のような三角波または正弦波、もしくは、当該単位波形を生成するために使用したＲ信号等の元の信号における立ち上がりと立ち下がりの少なくとも一方の波形形状を有するものである。
【００１９】
擬似信号生成部１２は、単位波形Ｕ（Ｒ）、Ｕ（Ｇ）、Ｕ（Ｂ）およびＵ（Ｃ）を合成した合成単位波形Ｇを生成する。擬似信号生成部１２は、合成単位波形Ｇが連続して繰り返す擬似信号Ｓ２を生成する。
【００２０】
次に、信号合成部１３が、擬似信号Ｓ２と画像表示信号Ｓ１を合成し、信号出力部１４が、合成された信号Ｓ３を画像表示装置３に対して送出する。画像表示装置３は、画像表示信号に基づいて画像を表示する。
【００２１】
本実施の形態によれば、例えば、悪意の第三者が、画像情報保護装置１と画像表示装置３の間の信号ケーブルから放射される信号Ｓ３による電磁波をアンテナで受信しても、信号Ｓ３に含まれる擬似信号Ｓ２が電磁波のいわゆるバックグラウンドレベルを上昇させているので、信号Ｓ３は隠匿されており、よって、信号Ｓ３を検出するのが困難になる。その結果、画像情報を漏洩から保護することができる。
【００２２】
なお、擬似信号Ｓ２の１周期はドットクロックの１周期に比べて大変短いので、擬似信号Ｓ２は、ドットクロックの１周期内では平均化されて近似的にゼロとなり、よって、表示される画像に対する影響はない。
【００２３】
上記例では、擬似信号Ｓ２を４つの単位波形の全部から生成したが、擬似信号Ｓ２を２つまたは３つの単位波形から生成してもよい。
【００２４】
また、図４に示すように、擬似信号Ｓ２は、４つの単位波形のいずれか１つ（図ではＵ（Ｃ）：三角波）が連続して繰り返す擬似信号でもよい。図５に示すように単位波形は正弦波（図ではＵ（Ｃ））でもよい。図示しないが、単位波形は、上記のように、Ｒ信号等の元の信号における立ち上がりや立ち下がりの波形形状を有するものでもよい。
【００２５】
また、立ち上がり時間と立ち下がり時間は互いに等しいことが多いので、一方（例えば、立ち上がり時間）だけを抽出およびデータ化し、単位波形を、その立ち上がり時間等の２倍に等しい時間幅を有するものとしてもよい。
【００２６】
また、擬似信号Ｓ２は高調波成分を有するので、上記例の単位波形の整数倍（２倍以上）の時間幅を有する単位波形を用い、この単位波形により生成した擬似信号Ｓ２（上記例の擬似信号Ｓ２より低周波の擬似信号Ｓ２）における高調波成分によりバックグラウンドレベルを上昇させてもよい。
【００２７】
また、例えば、第三者が、ドットクロック等の高調波成分を検出して画像情報を再生しようとする場合、上記例の単位波形の整数（２以上）分の１の時間幅を有する単位波形を用い、この単位波形により生成した擬似信号Ｓ２の周波数が、検出しようとする高調波成分の周波数と同じまたは整数（２以上）分の１となるようにし、こうして、この擬似信号Ｓ２またはその高調波成分によりバックグラウンドレベルを上昇させてもよい。
【００２８】
なお、例えば、Ｒ信号の立ち上がり時間等だけで単位波形を生成する場合、他のＧ信号等の立ち上がり時間等は抽出しなくてもよい。
【００２９】
また、立ち下がり時間だけで単位波形を生成する場合は、立ち上がり時間等の抽出等は不要であり、逆も同様である。
【図面の簡単な説明】
【００３０】
【図１】本実施の形態に係る画像情報保護装置の構成を示すブロック図である。
【図２】Ｒ信号、Ｇ信号、Ｂ信号、ドットクロックの波形を示す図である。
【図３】各単位波形、合成単位波形および擬似信号を示す図である。
【図４】擬似信号の別な例を示す図である。
【図５】擬似信号のさらに別な例を示す図である。
【符号の説明】
【００３１】
１  画像情報保護装置
２  画像表示信号生成装置
３  画像表示装置
１１  画像表示信号解析部
１２  擬似信号生成部
１３  信号合成部
１４  信号出力部
Ｓ１  画像表示信号
Ｓ２  擬似信号
Ｓ３  合成した信号
【図１】
2010061203.tif 000003
【図２】
2010061203.tif 000004
【図３】
2010061203.tif 000005
【図４】
2010061203.tif 000006
【図５】
2010061203.tif 000007